(57)【要約】【課題】  長径方向と短径方向とを有するトラック形もしくは楕円形のダンパー及びこれを用いたスピーカーに関し、小入力信号に対する振幅変位の直線性確保、および、大入力信号に対する振幅制限という、相反する性能を両立させることができ、さらに、さらに上下振幅の対称性がよく、ローリングを抑制して、歪や異音の発生が少ないダンパーおよびスピーカーを提供する。【解決手段】  本発明のダンパーは、内周部と外周部とを連結する支持可動部が、複数の山部と谷部とを有し、隣接する山部および谷部の離間距離（ロール間ピッチ）が、周方向における長径方向で大きく、短径方向で小さくなるコルゲーションを含み、基準平面からのコルゲーションの山部および谷部の高さ（ロール高）が、長径方向で最も高く、短径方向に至るにつれて低くなる。【選択図】  図２
2009049719.tif 000002
【特許請求の範囲】
【請求項１】
外形が長径方向と短径方向とを有する長円形のダンパーであって、
ボイスコイルボビンと接合する内周部と、フレームと接合する外周部と、該内周部と該外周部とを連結する支持可動部とを備え、
該支持可動部が、複数の山部と谷部とを有し、隣接する該山部および該谷部の離間距離が、該長径方向で大きく、該短径方向で小さくなるコルゲーションを含み、
基準平面からの該コルゲーションの該山部および該谷部の高さが、該長径方向で最も高く、該短径方向に至るにつれて低くなる、
ダンパー。
【請求項２】
前記支持可動部の前記コルゲーションの隣接する２つの前記山部、および、それらの中間に位置する前記谷部が規定するＶ字型溝の角度が、前記長径方向で９０°以上であり、前記短径方向に至るにつれてもほぼ一定である、
請求項１に記載のダンパー。
【請求項３】
前記支持可動部の前記コルゲーションにおいて、周方向における前記短径方向から±３０°〜６０°の範囲が、切除されている、
請求項１または２に記載のダンパー。
【請求項４】
前記内周部が、前記長径方向と同一方向に長径方向を有し、前記短径方向と同一方向に短径方向を有する長円形である、
請求項１から３のいずれかに記載のダンパー。
【請求項５】
請求項１から４のいずれかに記載のダンパーを備えたスピーカー。
【発明の詳細な説明】
【技術分野】
【０００１】
本発明は、音響再生のためのスピーカーに用いるダンパー、およびこれを用いたスピーカーに関する。
【背景技術】
【０００２】
スピーカー用のダンパーは、振動板及びボイスコイルボビンを含む振動系を所定位置に支持し、かつ、良好に振動可能にするために、その内周部がボイスコイルボビンに接合し、その外周部がフレーム又は磁気回路等に接合し、支持可動部が内周部と外周部とを連結する。従来のダンパーでは、支持可動部を波形のコルゲーションとしたコルゲーションダンパーが多く使用され、綿糸、アラミド繊維糸等の織布にフェノール樹脂、メラミン樹脂等の樹脂を含浸したプリプレグを基材として、金型で加熱成型することにより製造される。スピーカーが長円形（トラック形、もしくは、楕円形）等の、長径方向と短径方向とを有する振動板を備える場合には、ダンパーの内周部および外周部と、支持可動部のコルゲーションとは、トラック形もしくは楕円形に形成されることが多い。
【０００３】
コルゲーションダンパーの形状および材料などについては、小入力信号に対する振幅変位の直線性確保、および、大入力信号に対する振幅制限という、相反する性能が求められるので、従来から様々な検討がなされている。また、トラック形もしくは楕円形のダンパーでは、短径方向で十分な振幅変位が確保できず、歪音が発生する、あるいは、ボイスコイルがローリングして異音を生じる、等の問題が発生しやすい。そこで、例えば、長径方向のコルゲーションの数が短径方向のコルゲーションの数より多いダンパーを備えるスピーカーがある（特許文献１）。また、コルゲーション間隔を放射方向により異なるように形成するとともに一部に切欠部を設けたダンパー（特許文献２）や、ダンパーの短径方向にフレームとの接着部を無くして、振幅が大きくとれるようにしたダンパーがある（特許文献３）。
【０００４】
【特許文献１】特開平１−２６９３９６号公報  （第１図〜第３図）
【特許文献２】特開昭６１−１１４６９９号公報  （第１図、第２図）
【特許文献３】特開平８−５１６９５号公報  （第１図〜第３図）
【０００５】
しかしながら、従来技術のダンパーでは、いずれも充分ではない。特に、トラック形もしくは楕円形のダンパーでは、長径方向と短径方向でスティフネスが異なるので、振幅変位の直線性を確保するのは容易でない。さらに、短径方向で十分な振幅変位を確保するために、ダンパーの支持可動部の短径方向に小孔または切欠部を設ける場合には、短径方向、もしくは、長径方向のローリングを抑制できずに異音を生じる、等の問題が生じることがある。
【発明の開示】
【発明が解決しようとする課題】
【０００６】
本発明は、上記の従来技術が有する問題を解決するためになされたものであり、その目的は、長径方向と短径方向とを有するトラック形もしくは楕円形のダンパー及びこれを用いたスピーカーに関し、小入力信号に対する振幅変位の直線性確保、および、大入力信号に対する振幅制限という、相反する性能を両立させることができ、さらに、さらに上下振幅の対称性がよく、ローリングを抑制して、歪や異音の発生が少ないダンパーおよびスピーカーを提供することにある。
【課題を解決するための手段】
【０００７】
本発明のダンパーは、外形が長径方向と短径方向とを有する長円形（トラック形もしくは楕円形）のダンパーであって、ボイスコイルボビンと接合する内周部と、フレームと接合する外周部と、内周部と外周部とを連結する支持可動部とを備え、支持可動部が、複数の山部と谷部とを有し、隣接する山部および谷部の離間距離（ロール間ピッチ）が、周方向における長径方向で大きく、短径方向で小さくなるコルゲーションを含み、基準平面からのコルゲーションの山部および谷部の高さ（ロール高）が、長径方向で最も高く、短径方向に至るにつれて低くなる。
【０００８】
好ましくは、本発明のダンパーは、支持可動部のコルゲーションの隣接する２つの山部、および、それらの中間に位置する谷部が規定するＶ字型溝の角度が、周方向における長径方向で９０°以上であり、短径方向に至るにつれてもほぼ一定である。
【０００９】
好ましくは、本発明のダンパーは、支持可動部のコルゲーションにおいて、周方向における短径方向から±３０°〜６０°の範囲が、切除されている。
【００１０】
好ましくは、本発明のダンパーは、内周部が、長径方向と同一方向に長径方向を有し、短径方向と同一方向に短径方向を有する長円形である。
【００１１】
また、好ましくは、本発明のスピーカーは、本発明のいずれかのダンパーを備える。
【００１２】
以下、本発明の作用について説明する。
【００１３】
本発明のダンパーは、支持可動部が円周状のコルゲーションで構成されるダンパーであって、フレームと接合する外周部は、外形が長径方向と短径方向とを有する長円形（トラック形もしくは楕円形）であり、好ましくは、ボイスコイルボビンと接合する内周部は、円形もしくは長径方向と同一方向に長径方向を有し短径方向と同一方向に短径方向を有する長円形である。したがって、本発明のダンパーは、トラック形、もしくは、楕円形、等の長径方向と短径方向とを有する長円形の振動板を備えるスピーカー、ならびに、長円形のボイスコイルボビンを備えるスピーカーに適している。
【００１４】
本発明のダンパーの支持可動部のコルゲーションは、複数の山部と谷部とを有し、隣接する山部および谷部の離間距離（ロール間ピッチ）は、周方向における長径方向で大きく、短径方向で小さくなる。加えて、基準平面からのコルゲーションの山部および谷部の高さ（ロール高）は、長径方向で最も高く、短径方向に至るにつれて低くなる。好ましくは、支持可動部のコルゲーションの隣接する２つの山部、および、それらの中間に位置する谷部が規定するＶ字型溝の角度は、長径方向で９０°以上であり、短径方向に至るにつれてもほぼ一定である。なお、コルゲーションの山部および谷部を形成するロールは、全周で連続して滑らかにそのロール形状が変化するように形成され、後述する他の実施形態では、支持可動部のコルゲーション（外周部を含む場合がある）が切除される場合がある。また、基準平面とは、コルゲーションの山部および谷部の高さを規定する平面であり、内周部または外周部がこの基準平面上にあってもよい。
【００１５】
すなわち、コルゲーションの山部および谷部の形状（ロール間ピッチ、および、ロール高）は、長径方向から短径方向に至るにつれて変化するものの、コルゲーションのＶ字型溝の角度は全周に渡ってほぼ一定であり、ダンパーの外形または内形が長円形であっても、全周方向に渡ってほぼ一定のスティフネス（もしくはコンプライアンス）を得ることができる。さらに、Ｖ字型溝の角度が９０°以上で全周に渡ってほぼ一定であれば、長径方向と短径方向を有する長円形のダンパーであっても、振幅変位の直線性を確保することができ、また、大入力信号に対する振幅制限および上下振幅の対称性を改善することができる。
【００１６】
また、支持可動部のコルゲーションを、周方向における短径方向から±３０°〜６０°の範囲で切除するときには、長径方向の支持可動部のコルゲーションがいわば支持アームを構成し、小入力信号に対する振幅変位の直線性確保、および、大入力信号に対する振幅制限を実現できる。切除する範囲が短径方向から±３０°〜６０°であれば、短径方向の支持をフリーにしても、長径方向の支持可動部のコルゲーションが連続して滑らかに変化するロール形状を有するので、短径方向へのローリングを抑制して、歪もしくは異音の発生等の不具合が生じることがない。なお、支持可動部のコルゲーションを±３０°〜６０°の範囲で切除する場合には、外周部も同じ範囲で切除しても良い。ダンパーの短径方向の外形寸法を更に小さくすることができる。
【発明の効果】
【００１７】
本発明のダンパーは、長径方向と短径方向とを有するトラック形もしくは楕円形であっても、小入力信号に対する振幅変位の直線性確保、および、大入力信号に対する振幅制限という、相反する性能を両立させることができ、さらに上下振幅の対称性がよく、ローリングを抑制して、歪や異音の発生が少ないダンパー、およびこれを用いたスピーカーを提供できる。
【発明を実施するための最良の形態】
【００１８】
本発明のダンパー及びこれを用いたスピーカーは、本発明の目的を、外形が長径方向と短径方向とを有する長円形（トラック形もしくは楕円形）のダンパーであって、ボイスコイルボビンと接合する内周部と、フレームと接合する外周部と、内周部と外周部とを連結する支持可動部とを備え、支持可動部が、複数の山部と谷部とを有し、隣接する山部および谷部の離間距離（ロール間ピッチ）が、長径方向で大きく、短径方向で小さくなるコルゲーションを含み、基準平面からのコルゲーションの山部および谷部の高さ（ロール高）が、長径方向で最も高く、短径方向に至るにつれて低くなるようにしたことにより、実現した。
【００１９】
以下、本発明の好ましい実施形態によるダンパー及びこれを用いたスピーカーについて説明するが、本発明はこれらの実施形態には限定されない。
【実施例１】
【００２０】
図１は、本発明の好ましい実施形態による動電型スピーカー１を説明する図である。図１（ａ）は、動電型スピーカー１を前面側斜め上方から見た斜視図であり、図１（ｂ）は、動電型スピーカー１を構成する磁気回路１０を前面側斜め上方から見た拡大斜視図である。本実施例の動電型スピーカー１は、長径方向長が約１５ｃｍ、短径方向長が約４ｃｍのトラック形のスピーカー振動板２を有する細長形の動電型スピーカーである。なお、後述するように、動電型スピーカー１の一部の構造や、内部構造等は、省略している。
【００２１】
外形及び内形がトラック形でコーン形状を有するスピーカー振動板２は、エッジ３によってその外周端を支持されており、エッジ３の外周端は、フレーム６に固定されている。また、スピーカー振動板２の内周端には、ボビンならびにコイルから成るボイスコイル４が連結しており、その上端には外形がトラック形状のドーム状のダストキャップ５が接着されている。また、フレーム６は、トラック形のスピーカー振動板２に対応した細長形状であり、フレーム６に固定される磁気回路１０も、短径方向長以下の幅が狭い細長形状を有している。図１（ａ）において、フレーム６の窓からは、ボイスコイル４と、後述するダンパー７ｂが露出している。したがって、動電型スピーカー１は、ディスプレイ等の機器が有する表示部の側面など、スピーカーを取り付ける幅が少ない機器に適するスピーカーである。
【００２２】
磁気回路１０は、フレーム６に固定される細長形のトッププレート１１と、断面形状がトラック形の長円筒形状であってトッププレート１１の中央に形成されたトラック形孔に挿入されるセンターポール１２と、センターポール１２を中央に配置する細長形のアンダープレート１４と、トッププレート１１およびアンダープレート１４に狭持されるマグネット１５と、から構成される。トッププレート１１およびセンターポール１２は、均等な幅を有するトラック形磁気空隙１３を形成する。すなわち、磁気回路１０は、トラック形磁気空隙１３を有する外磁型磁気回路であり、磁気回路１０の長径方向及び短径方向は、トラック形のスピーカー振動板２の長径方向および短径方向と一致している。なお、点Ａ−Ａ’を結ぶ直線が延びる方向が長径方向であり、また、点Ｂ−Ｂ’を結ぶ直線が延びる方向が短径方向である。
【００２３】
ボイスコイル４は、断面形状がトラック形の長円筒形に形成したボビンと、その一端側に巻回されて音声電流が供給されるコイルと、から形成される。ボビンは、コイルが巻回されない他端側に近い外側の側面が、スピーカー振動板２の内周端に接着剤により連結される。ボイスコイル４は、後述する本実施例のダンパーにより、振動可能に支持されており、コイルは、後述する磁気回路１０のトラック形磁気空隙１３に配置される。したがって、スピーカー振動板２、エッジ３、ボイスコイル４、および、後述する本実施例のダンパーからなるスピーカー振動系は、フレーム６に対して振動可能に支持される。動電型スピーカー１では、ボイスコイル４のコイルに音声電流が供給されると、磁気空隙１３に配置されたボイスコイル４に駆動力が作用し、ボイスコイル４は前後方向に振動し、連結されたスピーカー振動板２も前後方向に振動する。なお、動電型スピーカー１において前後とは、スピーカー振動板２が振動する場合に、ボイスコイル４、ダンパー７、および、磁気回路１０が取り付けられる側を後側とし、スピーカー振動板２が露出する側を前側としている。
【００２４】
図２は、本発明の好ましい実施形態によるダンパー７ａについて説明する図であり、図２（ａ）は、ダンパー７ａの平面図および断面図であり、図２（ｂ）は、ダンパー７ａの１／２部分を前面側斜め上方から見た拡大斜視図である。ダンパー７ａは、綿およびポリエステル繊維の複数の縦糸及び横糸が概略直交する織布に、フェノール樹脂を含浸したプリプレグを基材とし、金型で加熱成型されて、内周および外周を切断されて形成されるトラック形のダンパーである。ダンパー７ａの外周の長径方向長は約６０ｍｍ、短径方向長は約３６ｍｍ、そして、トラック形の円弧の半径は約１８ｍｍである。また、ダンパー７ａの内周の長径方向長は約２０ｍｍ、短径方向長は約１０ｍｍ、そして、トラック形の円弧の半径は約５ｍｍである。
【００２５】
ダンパー７ａは、ボイスコイル４のボビンと接合するトラック形の内周部７１と、フレーム６と接合する平面を備えるトラック形の外周部７２と、内周部７１と外周部７２とを連結する半径方向の断面が波形であり、周方向の形状がトラック形状のコルゲーションから構成される支持可動部７３と、を備える。図２（ａ）のＡ−Ａ’断面図およびＢ−Ｂ’断面図に示すように、ダンパー７ａの内周部７１および外周部７２は、図２（ｂ）に示す同一のｘ−ｙ平面の上に位置するので、このｘ−ｙ平面（ｚ＝０）をダンパー７ａの基準平面とする。
【００２６】
ダンパー７ａの支持可動部７３のコルゲーションは、具体的には、３つの山部７４と２つの谷部７５とを有する。図２（ａ）に示す平面図では、山部７４を実線で記載し、谷部７５を点線で記載している。支持可動部７３のコルゲーションの隣接する２つの山部７４、および、それらの中間に位置する谷部７５は、所定の角度を有するＶ字型溝を形成する。なお、山部とは、スピーカー振動板２が取り付けられる前側から見た場合に凸状のロールを形成する稜線を含む部分を指し、谷部とは、前側から見た場合に凹状のロールを形成する谷線を含む部分を指す。支持可動部７３のコルゲーションは、半径方向の断面形状が波形になるので、前側から見る場合と後側から見る場合とでは、山部と谷部が入れ替わることになる。支持可動部７３のコルゲーションは、内周部７１および外周部７２の寸法と、複数の山部７４および谷部７５の数と、それぞれの山部７４および谷部７５の離間距離（ロール間ピッチ）と、それぞれの山部７４および谷部７５の基準平面からの高さ（ロール高）と、から規定される。
【００２７】
ダンパー７ａはトラック形の支持可動部７３を有するので、その半径方向の断面形状は、コルゲーションを形成する波形であって、周方向の角度によって変化する。例えば、長径方向（Ｏ−Ａ方向、Ｏ−Ａ’方向。もしくは、長円形の短辺方向。）におけるコルゲーション７６ａは、周方向に円弧状であり、短径方向（Ｏ−Ｂ方向、Ｏ−Ｂ’方向。もしくは、長円形の長辺方向。）のコルゲーション７６ｂは、直線状である。例えば、山部７４上において、円弧状のコルゲーション７６ａと直線状のコルゲーション７６ｂが連結する点ｑは、トラック形の変曲点であり、点ｑを規定する角度は、トラック形の長径と短径の比によって異なるものの、多くの場合には、周方向における短径方向からの角度（例えば、点Ｂ−点Ｏ−点ｑで規定される角度）が、±３０°〜６０°の範囲に出現する。したがって、トラック形であるダンパー７ａの場合には、支持可動部７３のコルゲーションを規定する山部７４および谷部７５の離間距離（ロール間ピッチ）、基準平面からの高さ（ロール高）、ならびに、山部７４および谷部７５で形成されるＶ字型溝の角度は、長径方向と短径方向とで相互に変化する関係にある。
【００２８】
ここで、本実施例のダンパー７ａでは、隣接する山部７４および谷部７５の離間距離（ロール間ピッチ）が、長径（０−Ａ）方向で図２（ａ）のＡ−Ａ’断面図に示す値Ｐａ（約３．２ｍｍ）であり、短径（０−Ｂ）方向で図２（ａ）のＢ−Ｂ’断面図に示す値Ｐｂ（約１．８ｍｍ）である。このように長径方向のロール間ピッチ値Ｐａの方が、短径方向のロール間ピッチ値Ｐｂよりも大きくなっている。したがって、トラック形のダンパー７ａでは、山部７４および谷部７５のロール間ピッチ値は、周方向の角度において変化し、長径方向で最も大きく、短径方向に至るにつれて小さくなる。なお、コルゲーションの山部７４および谷部７５を形成するロールは、全周で連続して滑らかにそのロール形状が変化するように形成され、ロール間ピッチは、長径方向から短径方向に至るにつれて小さくなり、先述のトラック形の変曲点である点ｑから短径方向までの間は、変化しない。
【００２９】
また、本実施例のダンパー７ａでは、基準平面からの山部７４および谷部７５の高さ（ロール高）が、長径（０−Ａ）方向で図２（ａ）のＡ−Ａ’断面図に示す値Ｈａ（約１．１９ｍｍ）であり、短径（０−Ｂ）方向で図２（ａ）のＢ−Ｂ’断面図に示す値Ｈｂ（約０．６１ｍｍ）である。このように長径方向のロール高値Ｈａの方が、短径方向のロール高Ｈｂよりも大きくなっている。したがって、トラック形のダンパー７ａでは、山部７４および谷部７５のロール高の値は、周方向の角度において変化し、長径方向で最も高く、短径方向に至るにつれて低くなる。なお、ロール高は、長径方向から短径方向に至るにつれて小さくなり、先述のトラック形の変曲点である点ｑから短径方向までの間は、変化しない。また、本実施例のダンパー７ａでは、周方向の所定の角度における、複数の山部７４および谷部７５の高さ（ロール高）は、それぞれ等しくされている。
【００３０】
次に、本実施例のダンパー７ａでは、山部７４および谷部７５で形成されるＶ字型溝の角度δ０は約９０°であり、コルゲーションの周方向でほぼ一定である。つまり、支持可動部のコルゲーションの山部７４および谷部７５の形状（ロール間ピッチ、および、ロール高）は、長径方向から短径方向に至るにつれてそれぞれ変化するものの、隣接する２つの山部７４、および、それらの中間に位置する谷部７５が規定するＶ字型溝の角度δ０は、長径方向で９０°以上であり、短径方向に至るにつれてもほぼ一定である。このＶ字型溝の角度δ０が全周に渡ってほぼ一定であるので、後述するように、ダンパー７ａがトラック形であっても、全周方向に渡ってほぼ一定のスティフネス（もしくはコンプライアンス）を得て、振幅変位の直線性を確保することができ、また、大入力信号に対する振幅制限および上下振幅の対称性を改善することができる。
【００３１】
本実施例のダンパー７ａでは、ボイスコイル４のボビンと接合する内周部７１は、トラック形の内周端を有している。ただし、ボイスコイル４が、断面形状が円形の円筒形状のボビン、ならびに、円筒状に巻回されたコイルを備え、かつ、動電型スピーカー１を構成する磁気回路１０が、ボイスコイル４に対応する円形磁気空隙を有する場合には、ダンパー７は、断面形状が円形のボイスコイル４に対応する円形の内周部７１を有していても良い。また、支持可動部のコルゲーションを構成する複数の山部７４の数は、少なくとも２つ以上であれば良く、谷部７５は隣接する２つの山部７４の間に位置するものが一つ以上であれば良い。もちろん、内周部７１は、円形、もしくは、トラック形だけでなく、長円形、矩形、楕円形、等の様々な形状に対応可能である。
【実施例２】
【００３２】
図３は、本発明の他の好ましい実施形態によるダンパー７ｂについて説明する図であり、図３（ａ）は、ダンパー７ｂの平面図であり、図３（ｂ）は、ダンパー７ｂの１／２部分を前面側斜め上方から見た拡大斜視図である。ダンパー７ｂは、先の実施例のダンパー７ａの支持可動部７３のコルゲーションにおいて、周方向における短径方向の一部を切除して短径方向の支持をフリーにしたダンパーである。つまり、ダンパー７ｂは、支持可動部７３の長径方向のコルゲーション７６ａが略扇形状にされて、ボイスコイル４を長径方向において支持するアームを形成するダンパーである。なお、ダンパー７ｂの説明において、ダンパー７ａと共通する部分については、説明を省略する。また、図３（ｂ）では、外周部７２も、支持可動部７３と同じ角度の範囲で切除されて図示されている。
【００３３】
実施例のダンパー７ｂでは、短径方向（Ｏ−Ｂ方向、Ｏ−Ｂ’方向）のコルゲーション７６ｂが短径方向からの角度α（約±３７°）の範囲で切除されている。その結果、支持可動部７３のコルゲーションは、複数の山部７４および谷部７５が波形の断面形状として露出する直線状の端面７６ｃを有する。ただし、トラック形の内周部７１、および、フレーム６と接合する平面を備えるトラック形の外周部７２は、それぞれ切除されていないので、ダンパー７ｂの支持可動部７３のコルゲーションは、先の実施例のダンパー７ａの短径方向に台形状の孔が空けられたものになる。したがって、ダンパー７ｂは、先の実施例のダンパー７ａを成形した後に、支持可動部７３のコルゲーションの短径方向の所定の範囲を金型等で切除して形成すれば良い。
【００３４】
ダンパー７ｂにおいては、短径方向の支持がフリーになるので、小入力信号に対する振幅変位の直線性を確保しやすくなる。また、支持可動部７３のコルゲーションを切除する範囲が短径方向から±３０°〜６０°であれば、残される長径方向のコルゲーション７６ａが連続して滑らかに変化するロール形状を有するので、短径方向にも剛性を発揮する。その結果、ダンパー７ｂでは、短径方向の支持をフリーにしても、短径方向へのローリングの発生を抑制することができ、歪もしくは異音の発生等の不具合の発生頻度を低くすることができる。
【００３５】
なお、支持可動部７３のコルゲーションを±３０°〜６０°の範囲で切除する場合には、図３（ｂ）で示すように、外周部７２も同じ範囲で切除しても良い。ダンパーの短径方向の外形寸法を更に小さくすることができる。また、切除する部分を規定する端面７６ｃを規定する線は、曲線であっても良く、直線に限定されない。
【００３６】
図４は、比較例のダンパー８ａについて説明する図であり、図４（ａ）は、ダンパー８ａの平面図であり、図４（ｂ）は、ダンパー８ａの１／２部分を前面側斜め上方から見た拡大斜視図である。比較例のダンパー８ａは、先の実施例のダンパー７ａの支持可動部７３のコルゲーションの形状において相違する。つまり、ダンパー７ａのトラック形の内周部７１および外周部７２の形状寸法と、ダンパー８ａのトラック形の内周部８１および外周部８２の形状寸法と、は、ほぼ等しいので、共通する部分については説明を省略する。
【００３７】
比較例のダンパー８ａの支持可動部８３のコルゲーションは、３つの山部８４と２つの谷部８５とを有する点、ならびに、長径方向のロール間ピッチ値Ｐａの方が短径方向のロール間ピッチ値Ｐｂよりも大きくなっている点、では、実施例のダンパー７ａの支持可動部７３のコルゲーションと一致する。ダンパー７ａとダンパー８ａとの相違は、支持可動部のコルゲーションの設計の基準として、コルゲーションのＶ字型溝の角度を全周に渡ってほぼ一定にする場合と、基準平面からの高さ（ロール高）を全周に渡ってほぼ一定にする場合と、の違いである。ダンパー８ａの支持可動部８３のコルゲーションは、それぞれの山部８４および谷部８５の基準平面からの高さ（ロール高）の値Ｈ０が一定（約２．４ｍｍ）であり、その結果、山部８４および谷部８５で形成されるＶ字型溝の角度は、長径方向のδａ（約９０°）から短径方向のδｂ（約５２°）まで、緩やかに変化する。
【００３８】
すなわち、ダンパー８ａの支持可動部８３のコルゲーションは、従来の通りロール高を一定にしているだけであり、長径方向から短径方向に至るにつれて、コルゲーションのＶ字型溝の角度が変化するので、トラック形状の全周方向に渡ってほぼ一定のスティフネス（もしくはコンプライアンス）を得るのは難しい形状である。Ｖ字型溝の角度が変化する割合が大きければ、長径方向と短径方向でのスティフネスの差は、大きくなる。
【００３９】
図５は、実施例のダンパー７ａ、７ｂ、および、比較例のダンパー８ａの荷重に対するｚ方向の変位特性を表すグラフである。グラフの横軸は、約１０Ｎの荷重を加えた場合を１００％としたときに、ダンパーの内周部に加える荷重を割合で表示したものである。縦軸は、動電型スピーカーのスピーカー振動板およびボイスコイルを含む振動系が振動するｚ方向の変位であり、それぞれのダンパーが直線性を良く振動可能に支持する方向の変位量である。図５（ａ）は実施例のダンパー７ａの場合であり、図５（ｂ）は実施例のダンパー７ｂの場合であり、一方で、図５（ｃ）は比較例のダンパー８ａの場合である。このように、実施例のダンパー７ａは、比較例のダンパー８ａに比べて直線性に優れている。また、コルゲーションの短径方向の一部を切除した実施例のダンパー７ｂでも、比較例のダンパー８ａと同等以上の直線性を発揮する。
【００４０】
図６および図７は、実施例のダンパー７ａ、７ｂ、および、比較例のダンパー８ａの荷重に対するｘ方向およびｙ方向の変位特性を表すグラフである。つまり、グラフの横軸は、約１０Ｎの荷重を加えた場合を１００％としたときに、ダンパーの内周部に加える荷重を割合で表示したもので、図５の場合と共通である。ただし、縦軸は、動電型スピーカーのスピーカー振動板およびボイスコイルを含む振動系が振動するべきでないそれぞれｘ方向（長径方向）またはｙ方向（短径方向）の変位である。したがって、図６および図７のグラフは、ローリングの発生を予測するのに目安となる変位量を表すグラフであり、縦軸が値０に近いほど、長径方向と短径方向とを有する細長形のスピーカーで発生しやすいローリングが抑制されることを表す。
【００４１】
図６は、ｘ方向（長径方向）の変位であって、図６（ａ）は実施例のダンパー７ａの場合であり、図６（ｂ）は実施例のダンパー７ｂの場合であり、一方で、図６（ｃ）は比較例のダンパー８ａの場合である。このように、実施例のダンパー７ａは、比較例のダンパー８ａに比べて長径方向のローリングを抑制することができる形状になっていることが分かる。また、コルゲーションの短径方向の一部を切除した実施例のダンパー７ｂは、実施例のダンパー７ａ、ならびに、比較例のダンパー８ａと比較しても、長径方向のローリングを抑制する効果は、劣っている。
【００４２】
図７は、ｙ方向（短径方向）の変位であって、図７（ａ）は実施例のダンパー７ａの場合であり、図７（ｂ）は実施例のダンパー７ｂの場合であり、一方で、図７（ｃ）は比較例のダンパー８ａの場合である。このように、実施例のダンパー７ａは、比較例のダンパー８ａに比べて短径方向のローリングを抑制することができる形状になっていることが分かる。また、コルゲーションの短径方向の一部を切除した実施例のダンパー７ｂであっても、実施例のダンパー７ａとほぼ同等な特性を示しており、比較例のダンパー８ａと比較しても、短径方向のローリングを抑制する効果は、優れたものになっている。
【００４３】
本発明のダンパーは、本実施例のダンパー７ａまたは７ｂのような、内周部７１および外周部７２が同一の基準平面上にある平ダンパーであれば良い。ただし、その外周部７２が立ち上がりダンパーの立ち上がり部、もしくは、立ち下がりダンパーの立ち下がり部を有していても良い。外周部７２が立ち上がり部、もしくは、立ち下がり部を有する場合には、振幅変位が大きなスピーカーを設計する場合であっても、磁気回路もしくはフレームとダンパーとの距離を大きく設計でき、磁気回路もしくはフレームとダンパーとが接触して異音を生じる等の問題が改善される。
【００４４】
なお、本発明のスピーカー用ダンパーの基材は、綿およびポリエステル繊維、もしくはアラミド繊維の織布もしくは不織布でもよく、含浸する樹脂も、フェノール樹脂、もしくは、メラミン樹脂でもよい。本発明は、コルゲーションを備えた硬化する樹脂を含むダンパーであれば、基材の材料、樹脂の材料に制限されない。
【産業上の利用可能性】
【００４５】
本発明のダンパーは、これを用いたスピーカーに限られず、ダンパーと、ボイスコイル等の振動系を備える他の加振器や、センサー等の動電型の電機−機械変換器にも適用が可能である。ダンパーの内周部に接合するのは、磁気回路であってもよく、磁気回路が振動する加振器に適する。
【図面の簡単な説明】
【００４６】
【図１】本発明の好ましい実施形態による動電型スピーカー１について説明する図である。（実施例１）
【図２】本発明の好ましい実施形態によるダンパー７ａについて説明する図である。（実施例１）
【図３】本発明の好ましい実施形態によるダンパー７ｂについて説明する図である。（実施例２）
【図４】比較例のダンパー８ａについて説明する図である。（比較例１）
【図５】ダンパーの荷重に対するｚ方向の変位特性を表すグラフである。（実施例１、実施例２、比較例１）
【図６】ダンパーの荷重に対するｘ方向の変位特性を表すグラフである。（実施例１、実施例２、比較例１）
【図７】ダンパーの荷重に対するｙ方向の変位特性を表すグラフである。（実施例１、実施例２、比較例１）
【符号の説明】
【００４７】
１        動電型スピーカー
２        スピーカー振動板
３        エッジ
４        ボイスコイル
５        ダストキャップ
６        フレーム
７ａ、７ｂ        ダンパー
８ａ              ダンパー
７１、８１        内周部
７２、８２        外周部
７３、８３        支持可動部
７４、８４        山部
７５、８５        谷部
１０      磁気回路
１１      トッププレート
１２      センターポール
１３      磁気空隙
１４      アンダープレート
１５      マグネット
【図５】
2009049719.tif 000003
【図６】
2009049719.tif 000004
【図７】
2009049719.tif 000005
【図１】
2009049719.tif 000006
【図２】
2009049719.tif 000007
【図３】
2009049719.tif 000008
【図４】
2009049719.tif 000009